(57)【要約】  開示は、クラフト品を製作するための方法を対象とする。方法は、作業面上にクラフトマットを配置することを含む。クラフトマットは、シリコーンエラストマーで形成された第１の主表面およびフッ化ポリマーで形成された第２の主表面を有する。方法は、クラフトマット上に材料を配置すること、およびクラフトマット上で材料からクラフト品を形成することをさらに含む。
2008524025.tif 000002
【特許請求の範囲】
【請求項１】
クラフト品を製造するための方法であって、該方法は以下を含む：
作業面上にクラフトマットを配置すること、該クラフトマットは、シリコーンエラストマーで形成された第１の主表面を有し、そしてフッ化ポリマーで形成された第２の主表面を有する；
該クラフトマット上に材料を配置すること；および
該クラフトマット上で該材料から該クラフト品を形成すること。
【請求項２】
該材料が、クラフト品部品を含み、そして該クラフト品の形成が、該クラフト品部品を一緒に糊付けすることを含む請求項１の方法。
【請求項３】
該クラフト品の形成が、該材料を彩色すること含む請求項１の方法。
【請求項４】
彩色が、フィンガーペインティングを含む請求項３の方法。
【請求項５】
該クラフト品の形成が、該材料を色つきマーカーで色付けすることを含む請求項１の方法。
【請求項６】
該材料が、成形可能な塊を含み、そして該クラフト品の形成が、該成形可能な塊を形作ることを含む請求項１の方法。
【請求項７】
該成形可能な塊が、粘土またはプレイドウ（商標）を含む請求項６の方法。
【請求項８】
該作業面上に該クラフトマットを配置することが、該第１の主表面が該作業面と実質的に接触するように、該クラフトマットを配置することを含む請求項１の方法。
【請求項９】
該クラフトマットが、繊維強化材を含む請求項１の方法。
【請求項１０】
該繊維強化材が織られている請求項９の方法。
【請求項１１】
該繊維強化材が、ガラス繊維織物およびポリアラミドヤーンを含む請求項１０の方法。
【請求項１２】
該繊維強化材が、該フッ化ポリマーで被覆されている請求項９の方法。
【請求項１３】
該シリコーンエラストマーが、フッ化ポリマーに結合している請求項７の方法。
【請求項１４】
該繊維強化材が、該シリコーンエラストマーで被覆されている請求項９の方法。
【請求項１５】
該シリコーンエラストマーが、該フッ化ポリマーよりより高い摩擦係数を有する請求項１の方法。
【請求項１６】
以下を含む商品：
シリコーンエラストマーで形成された第１の主表面を有し、そしてフッ化ポリマーで形成された第２の主表面を有するクラフトマット；
該クラフトマットと組み合わさる包装、該包装は該クラフトマットと関係する宣伝文句を提供する；および
該包装と一緒に含まれる印刷された使用説明書、該印刷された使用説明書は、クラフト品を形成する前に、作業面上に該クラフトマット配置するようにユーザーに指示する。
【請求項１７】
該印刷された使用説明書が、該第１の主表面が該作業面と実質的に接触するように、該クラフトマット配置するようユーザーに指示する請求項１６の商品。
【請求項１８】
該印刷された使用説明書が、該クラフトマット上で該クラフト品を形成するように該ユーザーに指示する請求項１６の商品。
【請求項１９】
該クラフトマットが、補強材を含む請求項１６の商品。
【請求項２０】
該繊維強化材が織られている請求項１９の商品。
【請求項２１】
該繊維強化材が、ガラス繊維織物またはポリアラミドヤーンを含む請求項２０の商品。
【請求項２２】
該繊維強化材が、該フッ素化ポリマーに結合している請求項１９の商品。
【請求項２３】
該シリコーンエラストマーが、該フッ化ポリマーに結合している請求項２２の商品。
【請求項２４】
該繊維強化材が、該シリコーンエラストマーで被覆されている請求項１９の商品。
【請求項２５】
クラフト品の製造方法であって、該方法は以下を含む：
作業面上にクラフトマットを配置すること、該クラフトマットが、高摩擦係数を有するエラストマー材料で形成された第１の主表面を有し、該クラフトマットが低摩擦係数を有するポリマー材料で形成された第２の主表面を有している；
該クラフトマット上に材料を配置すること；および
該クラフトマット上で該材料から該クラフト品を形成すること。
【請求項２６】
該エラストマー材料が、シリコーンゴムを含む請求項２５の方法。
【請求項２７】
該ポリマー材料が、フッ化ポリマーを含む請求項２５の方法。
【請求項２８】
該フッ化ポリマーが、ＰＴＦＥを含む請求項２７の方法。
【請求項２９】
該エラストマー材料が、防汚性である請求項２５の方法。
【請求項３０】
該ポリマー材料が、防汚性である請求項２５の方法。
【発明の詳細な説明】
【技術分野】
【０００１】
本発明は、一般的に美術品およびクラフト品の製造または形成方法に関し開示する。
【背景技術】
【０００２】
美術および工芸活動は、ストレスを発散または補助収入を生み出すための大人と同様に、娯楽および教育ための子供がしばしば携わる。しかし、美術および工芸に関係した活動は、作業面を清掃することが難しく、そして多くの場合、これらの作業面を台無しにする接着剤、絵の具、および他の材料の使用をしばしば含む。特に、多くの親は、子供の工芸によって台無しになった家具について不平をこぼす。
【発明の開示】
【発明が解決しようとする課題】
【０００３】
しばしば、趣味に熱中する人および親は、ダメージを制限する、または簡単に清掃する目的で作業面を新聞紙で覆っていた。しかし、新聞紙は、糊および絵具等の物質がしみこんで作業面に透過してしまう傾向がある。さらに、新聞紙からのインクが手およびクラフト品の上へ望ましくなく移ることができる。さらに、新聞紙は、クラフト品に付着するかまたは貼り付いてしまいクラフト品を損なうことが可能である。
【０００４】
損なわれたクラフト品および作業面は、多くの場合、大人を動揺させ、そして子供を涙ぐませることになる。それ自体、クラフト品を作るための改善された方法が望ましいであろう。
【課題を解決するための手段】
【０００５】
特別な態様では、開示はクラフト品を製作するための方法を対象とする。方法は、作業面上にクラフトマットを配置することを含む。クラフトマットは、シリコーンエラストマーで形成された第１の主表面およびフッ化ポリマーで形成された第２の主表面を有する。方法は、クラフトマット上に材料を配置すること、そしてクラフトマット上で材料からクラフト品を形成することをさらに含む。
【０００６】
別の態様では、開示は、シリコーンエラストマーで形成された第１の主表面およびフッ化ポリマーで形成された第２の主表面を有するクラフトマットを含む商品を対象とする。商品は、クラフトマットと繋がった包装も含む。包装は、クラフトマットと関係する宣伝文句を提供する。商品は、包装と一緒に含まれる印刷された使用説明書をさらに含む。印刷された使用説明書は、クラフト品を形成する前に、ユーザーに、作業面上にクラフトマットを配置するように指示する。
【０００７】
さらなる態様では、開示は、クラフト品を製作する方法を対象とする。方法は、作業面上にクラフトマットを配置することを含む。クラフトマットは、高摩擦係数を有するエラストマー材料で形成された第１の主表面を有する。クラフトマットは、低摩擦係数を有するポリマー材料で形成された第２の主表面も有する。方法は、クラフトマット上に材料を配置すること、およびクラフトマット上で材料からクラフト品を形成することをさらに含む。
【発明を実施するための最良の形態】
【０００８】
１つの特別な態様では、開示は、クラフト品の製作方法を対象とする。方法は、作業面上にクラフトマットを配置すること、およびクラフトマット上でそこに配置された材料からクラフト品を形成または作製することを含む。クラフトマットは、シリコーンエラストマー等の高摩擦係数材料で形成された第１の主表面を含む。クラフトマットは、ＰＴＦＥ等のフッ化ポリマー等の低摩擦係数材料で形成された第２の主表面も含む。１つの例示的態様では、第１の主表面は、第２の主表面より高い摩擦係数を有する。第１の主表面が、作業面に下向きで配置されてもよく、そしてクラフト品が、第２の主表面上または第２の主表面の上で形成されてもよい。
【０００９】
別の例示的態様では、開示は、クラフトマットおよび包装を含む商品を対象とする。包装はクラフトマットに繋がっていてもよく、そしてクラフトマットと関係して一体化した販売を含んでもよい。さらに、販売品は、作業面上にクラフトマットの配置およびクラフトマット上にクラフト品の形成または製作を指示する印刷された使用説明書を含んでもよい。１つの例示的態様では、使用説明書は、シリコーンエラストマー表面等の第１の主表面を作業面上に下向きに配置し、そしてフッ化ポリマーで形成された第２の主表面上でクラフト品を形成する指示を含んでもよい。
【００１０】
図１は、テーブル１０２が作業面１０４を有する例示的態様を具体的に示す。クラフトマット１０６は、作業面１０４の上に配置される。クラフトマットは、シリコーンエラストマー等の高摩擦係数材料で形成された第１の主表面１１０を含む。クラフトマットは、フッ化ポリマー等のより低摩擦係数材料で形成された第２の主表面１０８も含む。一般的に、高摩擦係数表面１１０は、作業面上に下向きに配置され、そしてクラフト品は低摩擦係数表面１０８上で形成される。
【００１１】
クラフト品の形成は、部品の組み立て、粘土の形作り、色づけ、彩色、または糊付け等の種々の活動を含んでもよく、これらの個々は、クラフトマット上での材料の取り扱いを含む。それ自体、任意のあるクラフト製作活動は、マーカー１１２、物品の部品１１４、粘土１１６、絵の具１１８、および糊１２０等の１または２以上の品目または材料を含んでもよい。これらの品目または材料は、保護されていない作業面に置かれると、作業面にダメージを与えることが出来る。例えば、絵具は、作業面を永久に変色することができ、そして糊は、作業面の表面仕上げと相互作用することができる。部品１１４は、作業面を擦ることができ、そしてプレイドウ（商標）または粘土１１６は、作業面の表面のひびに浸透し、そして清掃または除去が困難となることが可能である。
【００１２】
例示的態様では、クラフトマットは、少なくとも２つの層で形成されている。図２および３は、例示的クラフトマットを具体的に示す。例えば、図２は、層２０２および２０４がそれぞれ相対する主表面２０６および２０８を形成する２層クラフトマット２００を具体的に示す。
【００１３】
層２０２は、非付着性材料等の低表面エネルギー材料を含む。ある特別な態様では、材料は、低摩擦係数を有する。例えば、層２０２は、フッ化ポリマーを含んでもよい。フッ化ポリマーは、フッ素置換モノマーのホモポリマー、または少なくとも１種のフッ素置換モノマーを含む共重合体であることが可能である。例示的フッ素置換モノマーは、テトラフルオロエチレン（ＴＦＥ）、ビニリデンフルオライド（ＶＦ２）、ヘキサフルオロプロピレン（ＨＦＰ）、クロロトリフルオロエチレン（ＣＴＦＥ）、パーフルオロエチルビニルエーテル（ＰＥＶＥ）、パーフルオロメチルビニルエーテル（ＰＭＶＥ）、およびパーフルオロプロピルビニルエーテル（ＰＰＶＥ）を含む。フッ化ポリマーの例は、ポリテトラフルオロエチレン（ＰＴＦＥ）、パーフルオロアルキルビニルエーテル（ＰＦＡ）、フッ化エチレンプロピレン共重合体（ＦＥＰ）、エチレンテトラフルオロエチレン共重合体（ＥＴＦＥ）、ポリビニリデンフルオライド（ＰＶＤＦ）、ポリクロロトリフルオロエチレン（ＰＣＴＦＥ）、およびＶＦ２および／又はＨＦＰとのＴＦＥ共重合体を含む。ある特別な態様では、層２０２はＰＴＦＥを含む。
【００１４】
層２０２が単一の層として具体的に説明される一方、層２０２は、幾つかの層の１または２以上のフルオロポリマーで形成されていてもよい。例えば層２０２は、幾つかの層のフッ素重合体コーティングおよび個々のコーティングまたは最終被覆適用後の焼結を通して形成されてもよい。
【００１５】
層２０４は、高摩擦係数材料を含む。例えば、層２０４は、エラストマー材料を含んでもよい。例示的材料は、ポリ有機シロキサン、ポリオレフィン、ポリウレタン、エチレンプロピレンジエンモノマー（ＥＰＤＭ）ポリマー、およびそれらの混合物を含む。ある例示的態様では、高摩擦係数材料は、実質的にフッ素化されていない。ある特別な態様において、高い係数の材料は、低表面エネルギーも有し、そして例えば、非付着性材料であってもよい。例えば層２０４は、シリコーンエラストマー等のポリ有機シロキサンを含んでもよい。
【００１６】
他の構成部分が、層２０２および２０４を形成するために使用される材料の中に存在してもよい。例えば層は、フィラー、光安定剤、顔料および結合助剤を含むことが可能である。例示的フィラーは、タルク、シリカおよび炭酸カルシウムを含む。例示的光吸収添加物および顔料は、ＴｉＯ２,Ｆｅ２Ｏ３、カーボンブラックおよび焼成混合金属酸化物を含む。
【００１７】
別の例示的態様では、クラフトマットは、繊維強化材等の補強材を含んでもよい。図３は、補強材３０６を含む例示的なクラフトマット３００を具体的に示す。ここで、層３０２は、低表面エネルギー材料を含み、そして主表面３０８を形成してもよい。層３０４は、高摩擦係数材料を含み、そして主表面３１０を形成してもよい。層３０２は、図２の層２０２に関する上記材料を含んでもよく、そして層３０４は、図２の層２０４に関する上記材料を含んでもよい。ある例示的態様では、補強材料３０６は層３０２に組み込まれる。あるいは、補強材料３０６は、層３０４に組み込まれる。別の例示的態様では、補強材料３０６は層３０２と３０４との間に配置される。
【００１８】
補強材料３０６は、有機または無機材料で形成されていてもよい。
例示的無機材料は、カーボンファイバー、スチールおよび銅ワイヤー等の金属繊維、グラスファイバー等のセラミック繊維、並びにそれらの混合物を含む。例示的有機材料は、綿、羊毛、およびそれらの混合物等の天然繊維、並びにポリエステル、ポリアミド、ポリアラミド、ポリアミドイミド、ポリイミド、ポリオレフィン、およびそれらの混合物または共重合体等のポリマー材料を含む。ある例示的態様では、補強材料３０６は、層３０２に組み込まれており、そしてメタまたはパラポリアラミド材料等のポリアラミド材料で出来ている。別の例示的態様では、補強材料３０６は、層３０４に組み込まれており、そしてポリエステル材料またはナイロン材料等のポリアミド材料で出来ている。一般的に、補強材料３０６は、層３０２および３０４の材料の１つまたは両者で被覆されており、典型的には一般的に層３０２または３０４の１つに組み込まれるように被覆されている。さらに特に、補強材料３０６は、（例えば層３０２に組み込まれた）フッ化ポリマーで被覆されてもよく、または（例えば層３０４に組み込まれた）シリコーンエラストマーで被覆されてもよい。
【００１９】
補強材料３０６は、（例えば縫合したもしくは織った）織物繊維または不織繊維（例えばランダムに分散された繊維）を含む。クラフトマットは、１または２以上の層、シートまたはその種類の補強材料を含んでもよい。
【００２０】
ある特別な態様では、クラフトマットは、ごげ、燃焼、または溶解なく、焼成および処理温度に耐えるように構成される。例えば、補強材料、低摩擦係数材料、および高摩擦係数材料は、少なくとも華氏約４５０度、少なくとも華氏約５００度、または少なくとも華氏約５５０度、少なくとも華氏約３５０度の焼き温度に絶えるように選択されてもよい。例えば、粘土および他のクラフトは、オーブンまたは窯中で焼かれまたは乾燥されてもよい。特別の例として、補強材料は、織物シートの他の材料の処理（すなわち製造）温度に耐えるように選択される。例えば、補強材料は、少なくとも華氏約６００度、少なくとも華氏約６５０度、または少なくとも華氏約７５０度等少なくとも華氏約５００度の処理温度に耐えるように選択されてもよい。ある特別な態様では、ポリアラミド等の補強材料は、ＰＴＦＥ等の低表面エネルギー、低摩擦係数材料の処理温度に耐えるように選択される。補強ＰＴＦＥの片側は、次にシリコーンエラストマー等の高摩擦係数材料、より低い処理温度を使用する工程で被覆されてもよい。
【００２１】
ある例示的態様では、クラフトマットは、担体織物および／又は補強材料を、フッ化ポリマー等の低表面エネルギー、低摩擦係数材料でコーティングする工程を通して形成される。ＰＴＦＥは、１種のそうしたフッ化ポリマーである。担体織物および／又は補強材料はロールから出され、そして片側が液体媒体中に分散したフッ化ポリマー粒子を含む懸濁液で被覆される。ある特別な態様では、懸濁液は、デュポン社の０.５％ゾニル（Ｚｏｎｙｌ：商標）ＦＳＯフルオロ界面活性剤が添加されたフルオン（Ｆｌｕｏｎ：商標）ＡＤＩＬＮ ＰＴＦＥ水性ディスパージョンを含む。
【００２２】
担体織物から過剰懸濁液を除去するために、ブレードまたは測定棒を設置する。懸濁液は、次に乾燥され、そして焼結されて担体織物上に層を形成する。ある特別な態様では、被覆された懸濁液は、華氏約３３２度で乾燥され、そして華氏約６４９度で焼結される。層の厚さは、コーティング工程を繰り返すことで増加されてもよい。ある例示的態様では、担体織物は懸濁液で被覆されてもよく、懸濁液が乾燥され、そして第２の被膜が、焼結前に乾燥した懸濁液に適用される。
【００２３】
フッ化ポリマーの露出表面は、接着可能性を提供する。例えば表面は、ナトリウム金属/ナフタレン/グリコールエーテル混合物およびナトリウム金属/無水アンモニア混合物等のエッチング組成物で化学的にエッチされてもよい。他の例示的態様では、表面は、電気化学処理、金属スパッタリングおよび金属および／又は金属酸化物の蒸着を通して、接着可能性を提供する。例えば、金属および金属酸化物の蒸着は、化学気相堆積および物理的蒸着を含んでもよい。
【００２４】
別の例示的態様では、フッ化ポリマーの表面は、材料にコロイド状シリカを浸透させて、接着可能性を提供する。例えば、フッ化ポリマーは、２５〜７０重量％のコロイド状シリカを含んでもよい。さらなる例として、表面にコロイド状シリカを含むＦＥＰまたはＰＦＡの被膜を適用することによって、表面に接着可能性を提供してもよい。ＦＥＰまたはＰＦＡ被膜は乾燥され、そしてＰＴＦＥ等のフッ化ポリマーの表面に、焼結または溶融される。ある特別な態様では、フッ化ポリマー表面は、デュポン社製ＦＥＰ ＴＥ−９５０３、Ｗ．Ｒ．グレース社製ルドックス（Ｌｕｄｏｘ（商標））ＬＳ３０コロイド状シリカディスパージョン、およびトリトン（商標）Ｘ−１００非イオン性界面活性剤の混合物で被覆される。
【００２５】
一旦表面が接着可能になると、シリコーンエラストマー等の高摩擦係数材料が、接着可能な表面に適用される。例えば、シリコーンエラストマーの前駆体が、接着可能表面上に被覆され、そして硬化されてもよい。ある例示的態様では、プラチナを触媒とする液体シリコーンゴム溶液がフッ化ポリマー層の接着可能な表面に適用される。被膜が加熱されて阻害剤を不活性化または蒸発させ、液体シリコーンゴム溶液を硬化させてもよい。別の例示的態様では、有機パーオキサイドを触媒とするシリコーンゴム触媒は、フッ化ポリマー層に被覆され、そして被膜が加熱されて硬化を促進する。別の例示的シリコーンエラストマーは、湿気硬化型シリコーンを含む。ある特別な態様では、シリコーンエラストマー前駆体の被膜は、Ａ部がプラチナ触媒を含み、そしてＢ部が、架橋試薬および熱によって除去可能な硬化阻害剤を含む、ダウコーニング社製の５０部の９２５２−５００Ｐ Ａ部および５０部の９２５２−５００Ｐ Ｂ部液体シリコーンゴムを含む。シリコーン材料の複数被膜が適用されてもよく、そして補強材料はシリコーン層中に組み込まれてもよい。
【００２６】
例示的態様では、フッ化ポリマー層の厚さは、一般的に約０.２〜１２ミリメートル（ｍｉｌｓ）である。ある例では、厚さは約４〜１２ミリメートルである。別の例では厚さは、約０.５〜４ミリメートル等の約０.２〜４ミリメートルである。シリコーン層は、一般的に約２〜１００ミリメートルである。ある例では、シリコーン層の厚さは、約４〜２０ミリメートルである。あるいは、シリコーン層の厚さは約５〜１０ミリメートル等の約２〜１０ミリメートルである。例えば、補強材料がフッ化ポリマー層中に組み込まれている場合、フッ化ポリマー層の厚さは、約４〜１２ミリメートルであってもよく、そしてシリコーンの厚さ層は、約２〜１０ミリメートルであってもよい。あるいは、補強材料がシリコーン層中に組み込まれている場合、フッ化ポリマー層の厚さは、約０.５〜４ミリメートルであってもよく、そしてシリコーン層の厚さは、約４〜２０ミリメートルであってもよい。
【００２７】
ある例示的態様では、クラフトマットは商業販売ための商品中に含まれる。図４は、クラフトマット４０２および包装４０４を含む商品を具体的に示す。包装４０４は、クラフトマット４０２に接続される。包装４０４は、宣伝文句、クラフトマット４０６のタイトルもしくは記載、およびバーコード４０８、または他の販売価格の表示または販売契約の促進物を含んでもよい。
【００２８】
さらに、商品は、一式の印刷された使用説明書４１０を含んでもよい。印刷された使用説明書４１０は、包装４０４上に印刷され、または包装４０４およびクラフトマット４０２と別のシートとして含まれていてもよい。ある例示的態様では、使用説明書は、ユーザーに、作業面上にクラフトマット４０２を配置することを指示する。別の例示的態様では、使用説明書４１０は、ユーザーに、クラフトマットの高摩擦係数側を作業面上で下向きに配置し、そしてクラフトマットの低摩擦係数側の上でクラフト品を形成するように指示する。別の例示的態様では、使用説明書４１０は、クラフトマットを作業面から外し、そしてクラフトマットを清掃するよう示唆する。
【００２９】
クラフトマットは、クラフト品を形成している間、作業面を保護するために使用されてもよい。図５はクラフト品を作るための例示的方法５００を具体的に示す。クラフトマットが、５０２に示されるように作業面上に配置される。クラフトマットは、シリコーンエラストマー等のより高摩擦係数のエラストマーで形成された第１の主表面を含む。クラフトマットは、フッ化ポリマー等のより低摩擦係数材料で形成された第２の主表面も含む。両表面は、容易に掃除され、汚れにくく、そして耐接着性がある材料等の低表面エネルギー材料で形成されていてもよい。ある特別な態様では、高摩擦係数材料を含む第１の主表面は、作業面上で下向きに配置され、そしてクラフト品は、より低い摩擦係数の材料で形成された第２の主表面上で形成される。
【００３０】
クラフト品は、５０４に示されるように、クラフトマット上で形成または作製されてもよい。一般的に、クラフト品の形成は、マット上に、クラフト品が形成される材料または材料（複数）を配置することで始まる。そうした材料は、紙、絵具、糊、木、ボール紙、並びに粘土を形作ることを含む硬化および非硬化の粘土を含む。そうした材料を利用するクラフト品の製作または形成は、フィンガーペインティングまたはブラシ彩色等の彩色、並びに糊または接着での部品の組み立て等の部品組み立てを含んでもよい。さらに例示的態様では、クラフト品の製造または形成は、マーカー、クレヨンまたはペンによる色づけを含む。クラフト品の製作または形成は、粘土を形作ることまたはプレイドウ（商標）の操作も含んでもよい。
【００３１】
クラフト品での作業が完了すると、クラフトマットは、５０６に示されるように作業面から除去され、そして５０８に示されるように簡単に掃除されてもよい。ある特別な態様では、クラフトマットは、接着剤、糊、絵の具、粘土、プレイドウ（商標）、およびマーカーによって潜在的に付けられる傷から作業面を守る。別の例示的態様では、高摩擦係数の表面は、クラフト品の組み立ての間、マットが作業面からずれるのを防止する。さらに例示的態様では、クラフトマットの非付着性または低表面エネルギー表面は、マットがクラフト品に付着するのを防止する。
【００３２】
ある特別な態様では、上記と同一のものを取り込む複層クラフトマットおよびクラフトの製作方法は、特に好都合である。例えば、クラフトマットは、作業面上に配置されたときにずれを防ぐ一方で、物品の付着を防ぐ表面を提供してもよい。さらなる例示的態様では、クラフトマットは簡単に掃除される。
【００３３】
上記態様のいくつか形態に従って、複層複合物の構造は、ＰＴＦＥシートより作業面上ですべりにくい。さらに、複層複合物の構造は、シリコーンシートよりダメージに耐えそして簡単に掃除される。
【００３４】
さらにクラフトマットの組み立ての詳細は、米国特許出願公開第２００１/００３４１７０Ａ１（ＵＳ'１７０）号明細書に見出され、参照により本明細書中に取り込まれる。米国特許出願公開第'１７０号明細書は、一般的に閉鎖ループベルトに関係して利用される複合物構造を対象とし、クラフトマットおよび同一のものを取り込むクラフト品の製作方法に関係しないことに留意する。
【００３５】
上記で開示された主題は、実例になり制限しないと考えられ、そして請求項は、本発明の真の範囲内に入る全てのそうした改良、増強品、および他の態様を範囲とすることが意図される。従って、法律で最大限度許される範囲まで、本発明の範囲は、請求項およびそれらの均等の最も広く許される解釈によって決定されるべきであり、そして先の詳細な記載によって制限されまたは限定されるべきではない。
【図面の簡単な説明】
【００３６】
本開示は、図を参照することによって、よりよく理解され、そしてその多くの特徴および利点が当業者に明らかになる。
【図１】図１は、例示的クラフトシステムを具体的に説明する図を含む。
【図２】図２は、例示的クラフトマットを具体的に説明する図を含む。
【図３】図３は、例示的クラフトマットを具体的に説明する図を含む。
【図４】図４は、クラフトマットと関係する例示的商品を具体的に説明する図を含む。
【図５】図５は、クラフト品を作製するために例示的方法を具体的に説明する流れ図を含む。    異なる図中での同一の参照記号の使用は、類似のまたは同一の項目を示す。
【図１】
2008524025.tif 000003
【図２】
2008524025.tif 000004
【図３】
2008524025.tif 000005
【図４】
2008524025.tif 000006
【図５】
2008524025.tif 000007
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
クラフト品を製造するための方法であって、該方法は以下を含む：
作業面上にクラフトマットを配置すること、該クラフトマットは、シリコーンエラストマーで形成された第１の主表面を有し、そしてフッ化ポリマーで形成された第２の主表面を有する；
該クラフトマット上に材料を配置すること；および
該クラフトマット上で該材料から該クラフト品を形成すること。
【請求項２】
以下を含む商品：
シリコーンエラストマーで形成された第１の主表面を有し、そしてフッ化ポリマーで形成された第２の主表面を有するクラフトマット；
該クラフトマットと組み合わさる包装、該包装は該クラフトマットと関係する宣伝文句を提供する；および
該包装と一緒に含まれる印刷された使用説明書、該印刷された使用説明書は、クラフト品を形成する前に、作業面上に該クラフトマット配置するようにユーザーに指示する。
【請求項３】
クラフト品の製造方法であって、該方法は以下を含む：
作業面上にクラフトマットを配置すること、該クラフトマットが、高摩擦係数を有するエラストマー材料で形成された第１の主表面を有し、該クラフトマットが低摩擦係数を有するポリマー材料で形成された第２の主表面を有している；
該クラフトマット上に材料を配置すること；および
該クラフトマット上で該材料から該クラフト品を形成すること。
【手続補正２】
【補正対象書類名】明細書
【補正対象項目名】全文
【補正方法】変更
【補正の内容】
【発明の詳細な説明】
【技術分野】
【０００１】
本発明は、一般的に美術品およびクラフト品の製造または形成方法に関し開示する。
【背景技術】
【０００２】
美術および工芸活動は、ストレスを発散または補助収入を生み出すための大人と同様に、娯楽および教育ための子供がしばしば携わる。しかし、美術および工芸に関係した活動は、作業面を清掃することが難しく、そして多くの場合、これらの作業面を台無しにする接着剤、絵の具、および他の材料の使用をしばしば含む。特に、多くの親は、子供の工芸によって台無しになった家具について不平をこぼす。
【発明の開示】
【発明が解決しようとする課題】
【０００３】
しばしば、趣味に熱中する人および親は、ダメージを制限する、または簡単に清掃する目的で作業面を新聞紙で覆っていた。しかし、新聞紙は、糊および絵具等の物質がしみこんで作業面に透過してしまう傾向がある。さらに、新聞紙からのインクが手およびクラフト品の上へ望ましくなく移ることができる。さらに、新聞紙は、クラフト品に付着するかまたは貼り付いてしまいクラフト品を損なうことが可能である。
【０００４】
損なわれたクラフト品および作業面は、多くの場合、大人を動揺させ、そして子供を涙ぐませることになる。それ自体、クラフト品を作るための改善された方法が望ましいであろう。
【課題を解決するための手段】
【０００５】
特別な態様では、開示はクラフト品を製作するための方法を対象とする。方法は、作業面上にクラフトマットを配置することを含む。クラフトマットは、シリコーンエラストマーで形成された第１の主表面およびフッ化ポリマーで形成された第２の主表面を有する。方法は、クラフトマット上に材料を配置すること、そしてクラフトマット上で材料からクラフト品を形成することをさらに含む。
【０００６】
別の態様では、開示は、シリコーンエラストマーで形成された第１の主表面およびフッ化ポリマーで形成された第２の主表面を有するクラフトマットを含む商品を対象とする。商品は、クラフトマットと繋がった包装も含む。包装は、クラフトマットと関係する宣伝文句を提供する。商品は、包装と一緒に含まれる印刷された使用説明書をさらに含む。印刷された使用説明書は、クラフト品を形成する前に、ユーザーに、作業面上にクラフトマットを配置するように指示する。
【０００７】
さらなる態様では、開示は、クラフト品を製作する方法を対象とする。方法は、作業面上にクラフトマットを配置することを含む。クラフトマットは、高摩擦係数を有するエラストマー材料で形成された第１の主表面を有する。クラフトマットは、低摩擦係数を有するポリマー材料で形成された第２の主表面も有する。方法は、クラフトマット上に材料を配置すること、およびクラフトマット上で材料からクラフト品を形成することをさらに含む。
【発明を実施するための最良の形態】
【０００８】
１つの特別な態様では、開示は、クラフト品の製作方法を対象とする。方法は、作業面上にクラフトマットを配置すること、およびクラフトマット上でそこに配置された材料からクラフト品を形成または作製することを含む。クラフトマットは、シリコーンエラストマー等の高摩擦係数材料で形成された第１の主表面を含む。クラフトマットは、ＰＴＦＥ等のフッ化ポリマー等の低摩擦係数材料で形成された第２の主表面も含む。１つの例示的態様では、第１の主表面は、第２の主表面より高い摩擦係数を有する。第１の主表面が、作業面に下向きで配置されてもよく、そしてクラフト品が、第２の主表面上または第２の主表面の上で形成されてもよい。
【０００９】
別の例示的態様では、開示は、クラフトマットおよび包装を含む商品を対象とする。包装はクラフトマットに繋がっていてもよく、そしてクラフトマットと関係して一体化した販売を含んでもよい。さらに、販売品は、作業面上にクラフトマットの配置およびクラフトマット上にクラフト品の形成または製作を指示する印刷された使用説明書を含んでもよい。１つの例示的態様では、使用説明書は、シリコーンエラストマー表面等の第１の主表面を作業面上に下向きに配置し、そしてフッ化ポリマーで形成された第２の主表面上でクラフト品を形成する指示を含んでもよい。
【００１０】
図１は、テーブル１０２が作業面１０４を有する例示的態様を具体的に示す。クラフトマット１０６は、作業面１０４の上に配置される。クラフトマットは、シリコーンエラストマー等の高摩擦係数材料で形成された第１の主表面１１０を含む。クラフトマットは、フッ化ポリマー等のより低摩擦係数材料で形成された第２の主表面１０８も含む。一般的に、高摩擦係数表面１１０は、作業面上に下向きに配置され、そしてクラフト品は低摩擦係数表面１０８上で形成される。
【００１１】
クラフト品の形成は、部品の組み立て、粘土の形作り、色づけ、彩色、または糊付け等の種々の活動を含んでもよく、これらの個々は、クラフトマット上での材料の取り扱いを含む。それ自体、任意のあるクラフト製作活動は、マーカー１１２、物品の部品１１４、粘土１１６、絵の具１１８、および糊１２０等の１または２以上の品目または材料を含んでもよい。これらの品目または材料は、保護されていない作業面に置かれると、作業面にダメージを与えることが出来る。例えば、絵具は、作業面を永久に変色することができ、そして糊は、作業面の表面仕上げと相互作用することができる。部品１１４は、作業面を擦ることができ、そしてプレイドウ（商標）または粘土１１６は、作業面の表面のひびに浸透し、そして清掃または除去が困難となることが可能である。
【００１２】
例示的態様では、クラフトマットは、少なくとも２つの層で形成されている。図２および３は、例示的クラフトマットを具体的に示す。例えば、図２は、層２０２および２０４がそれぞれ相対する主表面２０６および２０８を形成する２層クラフトマット２００を具体的に示す。
【００１３】
層２０２は、非付着性材料等の低表面エネルギー材料を含む。ある特別な態様では、材料は、低摩擦係数を有する。例えば、層２０２は、フッ化ポリマーを含んでもよい。フッ化ポリマーは、フッ素置換モノマーのホモポリマー、または少なくとも１種のフッ素置換モノマーを含む共重合体であることが可能である。例示的フッ素置換モノマーは、テトラフルオロエチレン（ＴＦＥ）、ビニリデンフルオライド（ＶＦ２）、ヘキサフルオロプロピレン（ＨＦＰ）、クロロトリフルオロエチレン（ＣＴＦＥ）、パーフルオロエチルビニルエーテル（ＰＥＶＥ）、パーフルオロメチルビニルエーテル（ＰＭＶＥ）、およびパーフルオロプロピルビニルエーテル（ＰＰＶＥ）を含む。フッ化ポリマーの例は、ポリテトラフルオロエチレン（ＰＴＦＥ）、パーフルオロアルキルビニルエーテル（ＰＦＡ）、フッ化エチレンプロピレン共重合体（ＦＥＰ）、エチレンテトラフルオロエチレン共重合体（ＥＴＦＥ）、ポリビニリデンフルオライド（ＰＶＤＦ）、ポリクロロトリフルオロエチレン（ＰＣＴＦＥ）、およびＶＦ２および／又はＨＦＰとのＴＦＥ共重合体を含む。ある特別な態様では、層２０２はＰＴＦＥを含む。
【００１４】
層２０２が単一の層として具体的に説明される一方、層２０２は、幾つかの層の１または２以上のフルオロポリマーで形成されていてもよい。例えば層２０２は、幾つかの層のフッ素重合体コーティングおよび個々のコーティングまたは最終被覆適用後の焼結を通して形成されてもよい。
【００１５】
層２０４は、高摩擦係数材料を含む。例えば、層２０４は、エラストマー材料を含んでもよい。例示的材料は、ポリ有機シロキサン、ポリオレフィン、ポリウレタン、エチレンプロピレンジエンモノマー（ＥＰＤＭ）ポリマー、およびそれらの混合物を含む。ある例示的態様では、高摩擦係数材料は、実質的にフッ素化されていない。ある特別な態様において、高い係数の材料は、低表面エネルギーも有し、そして例えば、非付着性材料であってもよい。例えば層２０４は、シリコーンエラストマー等のポリ有機シロキサンを含んでもよい。
【００１６】
他の構成部分が、層２０２および２０４を形成するために使用される材料の中に存在してもよい。例えば層は、フィラー、光安定剤、顔料および結合助剤を含むことが可能である。例示的フィラーは、タルク、シリカおよび炭酸カルシウムを含む。例示的光吸収添加物および顔料は、ＴｉＯ２,Ｆｅ２Ｏ３、カーボンブラックおよび焼成混合金属酸化物を含む。
【００１７】
別の例示的態様では、クラフトマットは、繊維強化材等の補強材を含んでもよい。図３は、補強材３０６を含む例示的なクラフトマット３００を具体的に示す。ここで、層３０２は、低表面エネルギー材料を含み、そして主表面３０８を形成してもよい。層３０４は、高摩擦係数材料を含み、そして主表面３１０を形成してもよい。層３０２は、図２の層２０２に関する上記材料を含んでもよく、そして層３０４は、図２の層２０４に関する上記材料を含んでもよい。ある例示的態様では、補強材料３０６は層３０２に組み込まれる。あるいは、補強材料３０６は、層３０４に組み込まれる。別の例示的態様では、補強材料３０６は層３０２と３０４との間に配置される。
【００１８】
補強材料３０６は、有機または無機材料で形成されていてもよい。
例示的無機材料は、カーボンファイバー、スチールおよび銅ワイヤー等の金属繊維、グラスファイバー等のセラミック繊維、並びにそれらの混合物を含む。例示的有機材料は、綿、羊毛、およびそれらの混合物等の天然繊維、並びにポリエステル、ポリアミド、ポリアラミド、ポリアミドイミド、ポリイミド、ポリオレフィン、およびそれらの混合物または共重合体等のポリマー材料を含む。ある例示的態様では、補強材料３０６は、層３０２に組み込まれており、そしてメタまたはパラポリアラミド材料等のポリアラミド材料で出来ている。別の例示的態様では、補強材料３０６は、層３０４に組み込まれており、そしてポリエステル材料またはナイロン材料等のポリアミド材料で出来ている。一般的に、補強材料３０６は、層３０２および３０４の材料の１つまたは両者で被覆されており、典型的には一般的に層３０２または３０４の１つに組み込まれるように被覆されている。さらに特に、補強材料３０６は、（例えば層３０２に組み込まれた）フッ化ポリマーで被覆されてもよく、または（例えば層３０４に組み込まれた）シリコーンエラストマーで被覆されてもよい。
【００１９】
補強材料３０６は、（例えば縫合したもしくは織った）織物繊維または不織繊維（例えばランダムに分散された繊維）を含む。クラフトマットは、１または２以上の層、シートまたはその種類の補強材料を含んでもよい。
【００２０】
ある特別な態様では、クラフトマットは、ごげ、燃焼、または溶解なく、焼成および処理温度に耐えるように構成される。例えば、補強材料、低摩擦係数材料、および高摩擦係数材料は、少なくとも華氏約４５０度、少なくとも華氏約５００度、または少なくとも華氏約５５０度、少なくとも華氏約３５０度の焼き温度に絶えるように選択されてもよい。例えば、粘土および他のクラフトは、オーブンまたは窯中で焼かれまたは乾燥されてもよい。特別の例として、補強材料は、織物シートの他の材料の処理（すなわち製造）温度に耐えるように選択される。例えば、補強材料は、少なくとも華氏約６００度、少なくとも華氏約６５０度、または少なくとも華氏約７５０度等少なくとも華氏約５００度の処理温度に耐えるように選択されてもよい。ある特別な態様では、ポリアラミド等の補強材料は、ＰＴＦＥ等の低表面エネルギー、低摩擦係数材料の処理温度に耐えるように選択される。補強ＰＴＦＥの片側は、次にシリコーンエラストマー等の高摩擦係数材料、より低い処理温度を使用する工程で被覆されてもよい。
【００２１】
ある例示的態様では、クラフトマットは、担体織物および／又は補強材料を、フッ化ポリマー等の低表面エネルギー、低摩擦係数材料でコーティングする工程を通して形成される。ＰＴＦＥは、１種のそうしたフッ化ポリマーである。担体織物および／又は補強材料はロールから出され、そして片側が液体媒体中に分散したフッ化ポリマー粒子を含む懸濁液で被覆される。ある特別な態様では、懸濁液は、デュポン社の０.５％ゾニル（Ｚｏｎｙｌ：商標）ＦＳＯフルオロ界面活性剤が添加されたフルオン（Ｆｌｕｏｎ：商標）ＡＤＩＬＮ ＰＴＦＥ水性ディスパージョンを含む。
【００２２】
担体織物から過剰懸濁液を除去するために、ブレードまたは測定棒を設置する。懸濁液は、次に乾燥され、そして焼結されて担体織物上に層を形成する。ある特別な態様では、被覆された懸濁液は、華氏約３３２度で乾燥され、そして華氏約６４９度で焼結される。層の厚さは、コーティング工程を繰り返すことで増加されてもよい。ある例示的態様では、担体織物は懸濁液で被覆されてもよく、懸濁液が乾燥され、そして第２の被膜が、焼結前に乾燥した懸濁液に適用される。
【００２３】
フッ化ポリマーの露出表面は、接着可能性を提供する。例えば表面は、ナトリウム金属/ナフタレン/グリコールエーテル混合物およびナトリウム金属/無水アンモニア混合物等のエッチング組成物で化学的にエッチされてもよい。他の例示的態様では、表面は、電気化学処理、金属スパッタリングおよび金属および／又は金属酸化物の蒸着を通して、接着可能性を提供する。例えば、金属および金属酸化物の蒸着は、化学気相堆積および物理的蒸着を含んでもよい。
【００２４】
別の例示的態様では、フッ化ポリマーの表面は、材料にコロイド状シリカを浸透させて、接着可能性を提供する。例えば、フッ化ポリマーは、２５〜７０重量％のコロイド状シリカを含んでもよい。さらなる例として、表面にコロイド状シリカを含むＦＥＰまたはＰＦＡの被膜を適用することによって、表面に接着可能性を提供してもよい。ＦＥＰまたはＰＦＡ被膜は乾燥され、そしてＰＴＦＥ等のフッ化ポリマーの表面に、焼結または溶融される。ある特別な態様では、フッ化ポリマー表面は、デュポン社製ＦＥＰ ＴＥ−９５０３、Ｗ．Ｒ．グレース社製ルドックス（Ｌｕｄｏｘ（商標））ＬＳ３０コロイド状シリカディスパージョン、およびトリトン（商標）Ｘ−１００非イオン性界面活性剤の混合物で被覆される。
【００２５】
一旦表面が接着可能になると、シリコーンエラストマー等の高摩擦係数材料が、接着可能な表面に適用される。例えば、シリコーンエラストマーの前駆体が、接着可能表面上に被覆され、そして硬化されてもよい。ある例示的態様では、プラチナを触媒とする液体シリコーンゴム溶液がフッ化ポリマー層の接着可能な表面に適用される。被膜が加熱されて阻害剤を不活性化または蒸発させ、液体シリコーンゴム溶液を硬化させてもよい。別の例示的態様では、有機パーオキサイドを触媒とするシリコーンゴム触媒は、フッ化ポリマー層に被覆され、そして被膜が加熱されて硬化を促進する。別の例示的シリコーンエラストマーは、湿気硬化型シリコーンを含む。ある特別な態様では、シリコーンエラストマー前駆体の被膜は、Ａ部がプラチナ触媒を含み、そしてＢ部が、架橋試薬および熱によって除去可能な硬化阻害剤を含む、ダウコーニング社製の５０部の９２５２−５００Ｐ Ａ部および５０部の９２５２−５００Ｐ Ｂ部液体シリコーンゴムを含む。シリコーン材料の複数被膜が適用されてもよく、そして補強材料はシリコーン層中に組み込まれてもよい。
【００２６】
例示的態様では、フッ化ポリマー層の厚さは、一般的に約０.２〜１２ミリメートル（ｍｉｌｓ）である。ある例では、厚さは約４〜１２ミリメートルである。別の例では厚さは、約０.５〜４ミリメートル等の約０.２〜４ミリメートルである。シリコーン層は、一般的に約２〜１００ミリメートルである。ある例では、シリコーン層の厚さは、約４〜２０ミリメートルである。あるいは、シリコーン層の厚さは約５〜１０ミリメートル等の約２〜１０ミリメートルである。例えば、補強材料がフッ化ポリマー層中に組み込まれている場合、フッ化ポリマー層の厚さは、約４〜１２ミリメートルであってもよく、そしてシリコーンの厚さ層は、約２〜１０ミリメートルであってもよい。あるいは、補強材料がシリコーン層中に組み込まれている場合、フッ化ポリマー層の厚さは、約０.５〜４ミリメートルであってもよく、そしてシリコーン層の厚さは、約４〜２０ミリメートルであってもよい。
【００２７】
ある例示的態様では、クラフトマットは商業販売ための商品中に含まれる。図４は、クラフトマット４０２および包装４０４を含む商品を具体的に示す。包装４０４は、クラフトマット４０２に接続される。包装４０４は、宣伝文句、クラフトマット４０６のタイトルもしくは記載、およびバーコード４０８、または他の販売価格の表示または販売契約の促進物を含んでもよい。
【００２８】
さらに、商品は、一式の印刷された使用説明書４１０を含んでもよい。印刷された使用説明書４１０は、包装４０４上に印刷され、または包装４０４およびクラフトマット４０２と別のシートとして含まれていてもよい。ある例示的態様では、使用説明書は、ユーザーに、作業面上にクラフトマット４０２を配置することを指示する。別の例示的態様では、使用説明書４１０は、ユーザーに、クラフトマットの高摩擦係数側を作業面上で下向きに配置し、そしてクラフトマットの低摩擦係数側の上でクラフト品を形成するように指示する。別の例示的態様では、使用説明書４１０は、クラフトマットを作業面から外し、そしてクラフトマットを清掃するよう示唆する。
【００２９】
クラフトマットは、クラフト品を形成している間、作業面を保護するために使用されてもよい。図５はクラフト品を作るための例示的方法５００を具体的に示す。クラフトマットが、５０２に示されるように作業面上に配置される。クラフトマットは、シリコーンエラストマー等のより高摩擦係数のエラストマーで形成された第１の主表面を含む。クラフトマットは、フッ化ポリマー等のより低摩擦係数材料で形成された第２の主表面も含む。両表面は、容易に掃除され、汚れにくく、そして耐接着性がある材料等の低表面エネルギー材料で形成されていてもよい。ある特別な態様では、高摩擦係数材料を含む第１の主表面は、作業面上で下向きに配置され、そしてクラフト品は、より低い摩擦係数の材料で形成された第２の主表面上で形成される。
【００３０】
クラフト品は、５０４に示されるように、クラフトマット上で形成または作製されてもよい。一般的に、クラフト品の形成は、マット上に、クラフト品が形成される材料または材料（複数）を配置することで始まる。そうした材料は、紙、絵具、糊、木、ボール紙、並びに粘土を形作ることを含む硬化および非硬化の粘土を含む。そうした材料を利用するクラフト品の製作または形成は、フィンガーペインティングまたはブラシ彩色等の彩色、並びに糊または接着での部品の組み立て等の部品組み立てを含んでもよい。さらに例示的態様では、クラフト品の製造または形成は、マーカー、クレヨンまたはペンによる色づけを含む。クラフト品の製作または形成は、粘土を形作ることまたはプレイドウ（商標）の操作も含んでもよい。
【００３１】
クラフト品での作業が完了すると、クラフトマットは、５０６に示されるように作業面から除去され、そして５０８に示されるように簡単に掃除されてもよい。ある特別な態様では、クラフトマットは、接着剤、糊、絵の具、粘土、プレイドウ（商標）、およびマーカーによって潜在的に付けられる傷から作業面を守る。別の例示的態様では、高摩擦係数の表面は、クラフト品の組み立ての間、マットが作業面からずれるのを防止する。さらに例示的態様では、クラフトマットの非付着性または低表面エネルギー表面は、マットがクラフト品に付着するのを防止する。
【００３２】
ある特別な態様では、上記と同一のものを取り込む複層クラフトマットおよびクラフトの製作方法は、特に好都合である。例えば、クラフトマットは、作業面上に配置されたときにずれを防ぐ一方で、物品の付着を防ぐ表面を提供してもよい。さらなる例示的態様では、クラフトマットは簡単に掃除される。
【００３３】
上記態様のいくつか形態に従って、複層複合物の構造は、ＰＴＦＥシートより作業面上ですべりにくい。さらに、複層複合物の構造は、シリコーンシートよりダメージに耐えそして簡単に掃除される。
【００３４】
さらにクラフトマットの組み立ての詳細は、米国特許出願公開第２００１/００３４１７０Ａ１（ＵＳ'１７０）号明細書に見出され、参照により本明細書中に取り込まれる。米国特許出願公開第'１７０号明細書は、一般的に閉鎖ループベルトに関係して利用される複合物構造を対象とし、クラフトマットおよび同一のものを取り込むクラフト品の製作方法に関係しないことに留意する。
【００３５】
上記で開示された主題は、実例になり制限しないと考えられ、そして請求項は、本発明の真の範囲内に入る全てのそうした改良、増強品、および他の態様を範囲とすることが意図される。従って、法律で最大限度許される範囲まで、本発明の範囲は、請求項およびそれらの均等の最も広く許される解釈によって決定されるべきであり、そして先の詳細な記載によって制限されまたは限定されるべきではない。
【００３６】
（１）
クラフト品を製造するための方法であって、該方法は以下を含む：
作業面上にクラフトマットを配置すること、該クラフトマットは、シリコーンエラストマーで形成された第１の主表面を有し、そしてフッ化ポリマーで形成された第２の主表面を有する；
該クラフトマット上に材料を配置すること；および
該クラフトマット上で該材料から該クラフト品を形成すること。
（２）
該材料が、クラフト品部品を含み、そして該クラフト品の形成が、該クラフト品部品を一緒に糊付けすることを含む（１）の方法。
（３）
該クラフト品の形成が、該材料を彩色すること含む（１）の方法。
（４）
彩色が、フィンガーペインティングを含む（３）の方法。
（５）
該クラフト品の形成が、該材料を色つきマーカーで色付けすることを含む（１）の方法。
（６）
該材料が、成形可能な塊を含み、そして該クラフト品の形成が、該成形可能な塊を形作ることを含む（１）の方法。
（７）
該成形可能な塊が、粘土またはプレイドウ（商標）を含む（６）の方法。
（８）
該作業面上に該クラフトマットを配置することが、該第１の主表面が該作業面と実質的に接触するように、該クラフトマットを配置することを含む（１）の方法。
（９）
該クラフトマットが、繊維強化材を含む（１）の方法。
（１０）
該繊維強化材が織られている（９）の方法。
（１１）
該繊維強化材が、ガラス繊維織物およびポリアラミドヤーンを含む（１０）の方法。
（１２）
該繊維強化材が、該フッ化ポリマーで被覆されている（９）の方法。
（１３）
該シリコーンエラストマーが、フッ化ポリマーに結合している（７）の方法。
（１４）
該繊維強化材が、該シリコーンエラストマーで被覆されている（９）の方法。
（１５）
該シリコーンエラストマーが、該フッ化ポリマーよりより高い摩擦係数を有する（１）の方法。
（１６）
以下を含む商品：
シリコーンエラストマーで形成された第１の主表面を有し、そしてフッ化ポリマーで形成された第２の主表面を有するクラフトマット；
該クラフトマットと組み合わさる包装、該包装は該クラフトマットと関係する宣伝文句を提供する；および
該包装と一緒に含まれる印刷された使用説明書、該印刷された使用説明書は、クラフト品を形成する前に、作業面上に該クラフトマット配置するようにユーザーに指示する。
（１７）
該印刷された使用説明書が、該第１の主表面が該作業面と実質的に接触するように、該クラフトマット配置するようユーザーに指示する（１６）の商品。
（１８）
該印刷された使用説明書が、該クラフトマット上で該クラフト品を形成するように該ユーザーに指示する（１６）の商品。
（１９）
該クラフトマットが、補強材を含む（１６）の商品。
（２０）
該繊維強化材が織られている（１９）の商品。
（２１）
該繊維強化材が、ガラス繊維織物またはポリアラミドヤーンを含む（２０）の商品。
（２２）
該繊維強化材が、該フッ素化ポリマーに結合している（１９）の商品。
（２３）
該シリコーンエラストマーが、該フッ化ポリマーに結合している（２２）の商品。
（２４）
該繊維強化材が、該シリコーンエラストマーで被覆されている（１９）の商品。
（２５）
クラフト品の製造方法であって、該方法は以下を含む：
作業面上にクラフトマットを配置すること、該クラフトマットが、高摩擦係数を有するエラストマー材料で形成された第１の主表面を有し、該クラフトマットが低摩擦係数を有するポリマー材料で形成された第２の主表面を有している；
該クラフトマット上に材料を配置すること；および
該クラフトマット上で該材料から該クラフト品を形成すること。
（２６）
該エラストマー材料が、シリコーンゴムを含む（２５）の方法。
（２７）
該ポリマー材料が、フッ化ポリマーを含む（２５）の方法。
（２８）
該フッ化ポリマーが、ＰＴＦＥを含む（２７）の方法。
（２９）
該エラストマー材料が、防汚性である（２５）の方法。
（３０）
該ポリマー材料が、防汚性である（２５）の方法。
【図面の簡単な説明】
【００３７】
本開示は、図を参照することによって、よりよく理解され、そしてその多くの特徴および利点が当業者に明らかになる。
【図１】図１は、例示的クラフトシステムを具体的に説明する図を含む。
【図２】図２は、例示的クラフトマットを具体的に説明する図を含む。
【図３】図３は、例示的クラフトマットを具体的に説明する図を含む。
【図４】図４は、クラフトマットと関係する例示的商品を具体的に説明する図を含む。
【図５】図５は、クラフト品を作製するために例示的方法を具体的に説明する流れ図を含む。    異なる図中での同一の参照記号の使用は、類似のまたは同一の項目を示す。
【国際調査報告】
2008524025.tif 000008
2008524025.tif 000009